(57)【要約】【課題】記録した個々の画像データ単体でもその撮影状況に応じた変化表示を行ない再生する。【解決手段】撮影時の所定時間分の装置挙動を示す挙動情報を撮影画像と関連付けて複数記録したメモリカード28と、画像を表示する表示部25と、メモリカード28に記録した複数の撮影画像の表示部25での所定時間単位毎での連続的な切替表示を指示するキー入力部26と、指示に従い、メモリカード28から読出した撮影画像を表示部25で表示するのに先立ち、関連付けられている挙動情報に基づいて当該撮影画像の演出効果表示を行なう制御部21とを備える。【選択図】図１
2008193333.tif 000002
【特許請求の範囲】
【請求項１】
撮影時の装置挙動を示す挙動情報を撮影画像と関連付けて複数記録した記録手段と、
画像を表示する表示手段と、
上記記録手段に記録した複数の撮影画像の上記表示手段での切替表示を指示する指示手段と、
上記指示手段に従い、上記記録手段から読出した撮影画像を上記表示手段で表示するのに先立ち、関連付けられている挙動情報に基づいて当該撮影画像を変化させた変化表示を行なう表示制御手段と
を具備したことを特徴とする画像再生装置。
【請求項２】
被写体の画像を撮影する撮像手段と、
装置挙動を挙動情報として検出する検出手段と、
上記撮像手段での撮像時に上記検出手段で得られる挙動情報を撮影画像と関連付けて上記記録手段に記録させる記録制御手段と
をさらに具備したことを特徴とする請求項１記載の画像再生装置。
【請求項３】
上記検出手段は、３次元空間内での装置挙動を挙動情報として検出する３軸加速度センサにより構成することを特徴とする請求項２記載の画像再生装置。
【請求項４】
上記表示制御手段は、上記撮影画像に関連付けて記録されていた挙動情報が、装置の被写体に対する距離を可変する挙動を示す場合に、上記表示手段で表示する撮影画像の大きさを連続的に可変する変化表示を行なうことを特徴とする請求項１記載の画像再生装置。
【請求項５】
上記表示制御手段は、上記撮影画像に関連付けて記録されていた挙動情報が、装置の被写体に対する方向を移動する挙動を示す場合に、上記表示手段で表示する撮影画像を表示画面外部から上記移動方向に対応した方向で画面内部に挿入するように連続的に可変する変化表示を行なうことを特徴とする請求項１記載の画像再生装置。
【請求項６】
上記表示制御手段は、上記撮影画像に関連付けて記録されていた挙動情報が、装置の被写体に対する方向を移動する挙動を示す場合に、上記表示手段で表示する撮影画像を上記移動方向に対応した方向に沿って連続的に解像度を可変する変化表示を行なうことを特徴とする請求項１記載の画像再生装置。
【請求項７】
上記表示制御手段は、上記撮影画像に関連付けて記録されていた挙動情報が、装置の被写体に対する方向を移動する挙動を示す場合に、上記表示手段で表示する撮影画像を上記移動方向に対応した方向に沿って表示倍率を連続的に可変する変化表示を行なうことを特徴とする請求項１記載の画像再生装置。
【請求項８】
上記記録手段は、撮影期間にリアルタイムに対応した挙動情報を関連付けた動画像データを記録し、
上記表示制御手段は、上記記録手段に記録した動画像データの再生表示途中で、関連付けられている挙動情報が所定のしきい値より大きい場合に、表示中の動画像に対する変化表示を行なう
ことを特徴とする請求項１記載の画像再生装置。
【請求項９】
撮影時の所定時間分の装置挙動を示す挙動情報を撮影画像と関連付けて複数記録した記録部と、画像を表示する表示部とを備えた画像再生装置での画像表示方法であって、
上記記録部に記録した複数の撮影画像の上記表示部での所定時間単位毎での連続的な切替表示を指示する指示工程と、
上記指示工程での指示に従い、上記記録部から読出した撮影画像を上記表示部で表示するのに先立ち、関連付けられている挙動情報に基づいて当該撮影画像の変化表示を行なう表示制御工程と
を有したことを特徴とする画像表示方法。
【請求項１０】
撮影時の所定時間分の装置挙動を示す挙動情報を撮影画像と関連付けて複数記録した記録部と、画像を表示する表示部とを備えた画像再生装置に内蔵されたコンピュータが実行するプログラムであって、
上記記録部に記録した複数の撮影画像の上記表示部での所定時間単位毎での連続的な切替表示を指示する指示ステップと、
上記指示ステップでの指示に従い、上記記録部から読出した撮影画像を上記表示部で表示するのに先立ち、関連付けられている挙動情報に基づいて当該撮影画像の変化表示を行なう表示制御ステップと
をコンピュータに実行させることを特徴とするプログラム。
【発明の詳細な説明】
【技術分野】
【０００１】
本発明は、デジタルカメラ等に好適な画像再生装置、画像表示方法及びプログラムに関する。
【背景技術】
【０００２】
従来、撮影された複数の画像間に効果的な中間画像を挿入して再生することで、閲覧者が当該画像が撮影されたときの状況を好適に把握できるようにするべく、下記のような技術が考えられている。
【０００３】
すなわち、画像記録装置において、被写体を撮像して複数の画像データを生成するのと並行して、その間における画像記録装置の挙動に関する挙動履歴情報を記録し、複数の画像と共に挙動履歴情報を記録媒体に記録しておく一方で、画像再生装置において、画像データの再生処理時に、複数の画像データと挙動履歴情報とを記録媒体から読み出し、複数の該画像データを生成した際の前記画像記録装置の挙動を反映した１以上の中間画像データを該挙動履歴情報に応じて生成し、複数の画像データと中間画像データとを時系列に沿って再生する。（特許文献１）
【特許文献１】特開２００６−１７４０８６号公報
【発明の開示】
【発明が解決しようとする課題】
【０００４】
上記特許文献１に記載された技術は、撮影時刻が充分に近いと判断される複数の画像データが存在する場合にのみ、それら複数の画像データから中間画像データを生成するものであり、撮影時刻が近いと判断される複数の画像データがない場合や、単体の画像データのみでは中間画像データを生成して表示することができない。
【０００５】
本発明は上記のような実情に鑑みてなされたもので、その目的とするところは、記録した個々の画像データ単体でもその画像データが撮影された状況に対応した演出効果を用いた再生表示を行なうことが可能な画像再生装置、画像表示方法及びプログラムを提供することにある。
【課題を解決するための手段】
【０００６】
請求項１記載の発明は、撮影時の装置挙動を示す挙動情報を撮影画像と関連付けて複数記録した記録手段と、画像を表示する表示手段と、上記記録手段に記録した複数の撮影画像の上記表示手段での切替表示を指示する指示手段と、上記指示手段に従い、上記記録手段から読出した撮影画像を上記表示手段で表示するのに先立ち、関連付けられている挙動情報に基づいて当該撮影画像を変化させた変化表示を行なう表示制御手段とを具備したことを特徴とする。
【０００７】
請求項２記載の発明は、上記請求項１記載の発明において、被写体の画像を撮影する撮像手段と、装置挙動を挙動情報として検出する検出手段と、上記撮像手段での撮像時に上記検出手段で得られる挙動情報を撮影画像と関連付けて上記記録手段に記録させる記録制御手段とをさらに具備したことを特徴とする。
【０００８】
請求項３記載の発明は、上記請求項２記載の発明において、上記検出手段は、３次元空間内での装置挙動を挙動情報として検出する３軸加速度センサにより構成することを特徴とする。
【０００９】
請求項４記載の発明は、上記請求項１記載の発明において、上記表示制御手段は、上記撮影画像に関連付けて記録されていた挙動情報が、装置の被写体に対する距離を可変する挙動を示す場合に、上記表示手段で表示する撮影画像の大きさを連続的に可変する変化表示を行なうことを特徴とする。
【００１０】
請求項５記載の発明は、上記請求項１記載の発明において、上記表示制御手段は、上記撮影画像に関連付けて記録されていた挙動情報が、装置の被写体に対する方向を移動する挙動を示す場合に、上記表示手段で表示する撮影画像を表示画面外部から上記移動方向に対応した方向で画面内部に挿入するように連続的に可変する変化表示を行なうことを特徴とする。
【００１１】
請求項６記載の発明は、上記請求項１記載の発明において、上記表示制御手段は、上記撮影画像に関連付けて記録されていた挙動情報が、装置の被写体に対する方向を移動する挙動を示す場合に、上記表示手段で表示する撮影画像を上記移動方向に対応した方向に沿って連続的に解像度を可変する変化表示を行なうことを特徴とする。
【００１２】
請求項７記載の発明は、上記請求項１記載の発明において、上記表示制御手段は、上記撮影画像に関連付けて記録されていた挙動情報が、装置の被写体に対する方向を移動する挙動を示す場合に、上記表示手段で表示する撮影画像を上記移動方向に対応した方向に沿って表示倍率を連続的に可変する変化表示を行なうことを特徴とする。
【００１３】
請求項８記載の発明は、上記請求項１記載の発明において、上記記録手段は、撮影期間にリアルタイムに対応した挙動情報を関連付けた動画像データを記録し、上記表示制御手段は、上記記録手段に記録した動画像データの再生表示途中で、関連付けられている挙動情報が所定のしきい値より大きい場合に、表示中の動画像に対する変化表示を行なうことを特徴とする。
【００１４】
請求項９記載の発明は、撮影時の所定時間分の装置挙動を示す挙動情報を撮影画像と関連付けて複数記録した記録部と、画像を表示する表示部とを備えた画像再生装置での画像表示方法であって、上記記録部に記録した複数の撮影画像の上記表示部での所定時間単位毎での連続的な切替表示を指示する指示工程と、上記指示工程での指示に従い、上記記録部から読出した撮影画像を上記表示部で表示するのに先立ち、関連付けられている挙動情報に基づいて当該撮影画像の変化表示を行なう表示制御工程とを有したことを特徴とする。
【００１５】
請求項１０記載の発明は、撮影時の所定時間分の装置挙動を示す挙動情報を撮影画像と関連付けて複数記録した記録部と、画像を表示する表示部とを備えた画像再生装置に内蔵されたコンピュータが実行するプログラムであって、上記記録部に記録した複数の撮影画像の上記表示部での所定時間単位毎での連続的な切替表示を指示する指示ステップと、上記指示ステップでの指示に従い、上記記録部から読出した撮影画像を上記表示部で表示するのに先立ち、関連付けられている挙動情報に基づいて当該撮影画像の変化表示を行なう表示制御ステップとをコンピュータに実行させることを特徴とする。
【発明の効果】
【００１６】
本発明によれば、記録した個々の画像データ単体でもその画像データが撮影された状況に対応した演出効果を用いたスライドショー機能による再生表示を行なうことが可能となる。
【発明を実施するための最良の形態】
【００１７】
以下本発明をデジタルカメラに適用した場合の実施の一形態について図面を参照して説明する。  
図１は、同実施の形態に係るデジタルカメラ１０全体の電子回路の概念構成を示すものである。  
図中、撮影モードでのモニタリング状態においては、モータ（Ｍ）１１の駆動により撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ１３が配置される。
【００１８】
ＣＣＤ１３は、タイミング発生器（ＴＧ）１４、ＣＣＤドライバ１５によって走査駆動され、一定周期毎に結像した光像に対応する光電変換出力を１画面分出力する。
【００１９】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路１６において、アナログ値の信号の状態でＲＧＢの各原色成分毎にその時点に設定されているＩＳＯ感度に応じて自動ゲイン調整された後にサンプルホールドされ、Ａ／Ｄ変換器１７に送られる。
【００２０】
Ａ／Ｄ変換器１７では、アナログの画像データをデジタルデータに変換し、カラープロセス回路１８へ出力する。
【００２１】
カラープロセス回路１８は、デジタルの画像データに対して画素補間処理及びγ補正処理を含むカラープロセス処理を行ない、マトリックス変換によりデジタル値の輝度色差系の画像データＹＵＶを生成した後にバッファコントローラ１９に出力する。
【００２２】
バッファコントローラ１９は、カラープロセス回路１８の出力する画像データＹＵＶを、同じくカラープロセス回路１８からの複合同期信号、メモリ書込みイネーブル信号、及びクロック信号を用いて一度バッファコントローラ１９内部に書込んだ後、バッファメモリとして使用されるＤＲＡＭ２０にＤＭＡ転送を行なう。
【００２３】
制御部２１は、ＣＰＵと、ワークメモリとして使用される主記憶メモリ等から構成されるもので、後述する再生動作を含む動作プログラムやデータ等を固定的に記憶した不揮発性メモリ２２から必要なプログラム等を読出し、該主記憶メモリに適宜必要なプログラムやデータを一時的に展開して書込みながら、このデジタルカメラ１０全体の制御動作を司る。
【００２４】
しかして制御部２１は、上記画像データのＤＲＡＭ２０へのＤＭＡ転送終了後に、この画像データをバッファコントローラ１９を介してＤＲＡＭ２０より読出し、表示コントローラ２３を介してＶＲＡＭ２４に書込む。
【００２５】
表示コントローラ２３は、上記画像データをＶＲＡＭ２４より定期的に読出して表示部２５に出力する。
【００２６】
この表示部２５は、デジタルカメラ１０の筐体背面に配設された、バックライト付きの対角３インチ程のサイズを有するカラー液晶パネルとその駆動回路とで構成される。この表示部２５は、撮影モード時には電子ファインダとして機能し、表示コントローラ２３からの画像データ等に基づいた表示を行なうことで、その時点で撮像系のＣＣＤ１３から取込んでいる画像等をリアルタイムにモニタ表示する。一方で表示部２５は、再生モード時には選択した画像等を表示する。
【００２７】
このように表示部２５にその時点での被写体の画像をモニタ画像としてリアルタイムに表示する、所謂スルー画像の表示状態で、静止画撮影を行ないたいタイミングでキー入力部２６の一部を構成するシャッタキーを操作すると、キー入力部２６からトリガ信号が発生される。
【００２８】
制御部２１は、このトリガ信号に応じてその時点でＣＣＤ１３から取込んでいる１画面分の輝度及び色差信号のＤＲＡＭ２０へのＤＭＡ転送を取り止め、あらためて適正な露出条件に従ったシャッタ速度で図示しないメカニカルシャッタ及び上記ＣＣＤ１３を駆動して１画面分の輝度及び色差信号を得てＤＲＡＭ２０へ転送し、その後にこの経路を停止し、記録保存の状態に遷移する。
【００２９】
この記録保存の状態では、制御部２１がＤＲＡＭ２０に書込まれている１フレーム分の画像データＹＵＶをバッファコントローラ１９を介してＹ，Ｕ，Ｖの各コンポーネント毎に縦８画素×横８画素の基本ブロックと呼称される単位で読出して画像処理部２７に書込む。この画像処理部２７では、画像データを所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００３０】
そして、符号化した画像データを１画像分のデータファイルとして該画像処理部２７から読出し、このデジタルカメラ１０に着脱自在に装着される記録媒体であるメモリカード２８に書込む。
【００３１】
そして、１フレーム分の輝度及び色差信号の圧縮処理とメモリカード２８への全圧縮データの書込み終了に伴なって、制御部２１はＣＣＤ１３からＤＲＡＭ２０への経路を再び起動する。
【００３２】
また、上記制御部２１にはさらに、上述したキー入力部２６と、３軸加速度センサ２９、音声処理部３０、フラッシュ駆動部３１、及びＵＳＢインタフェース（Ｉ／Ｆ）３２が接続されている。
【００３３】
キー入力部２６は、上記シャッタキーの他に、電源キー、ズームキー、撮影モードキー、再生モードキー、カーソルキー、セットキー、メニューキー、マクロキー、及びフラッシュキー等を有するもので、それらの操作に伴うキー入力信号は直接制御部２１へ送信される。
【００３４】
３軸加速度センサ２９は、３次元空間内でのＸ，Ｙ，Ｚ軸回りの加速度及び重力加速度を検出することで、このデジタルカメラ１０の挙動を検出する。また、この３軸加速度センサ２９の検出結果に応じ、特に静止画像の撮影時には手振れ補正処理を実行する。
【００３５】
音声処理部３０は、ＰＣＭ音源等の音源回路を備え、音声の録音時にはこのデジタルカメラ１０の筐体前面に配設されたマイクロホン部３３より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード２８へ送出する。
【００３６】
一方、音声処理部３０は、音声の再生時にメモリカード２８から読出されてきた音声データファイルの圧縮を解いてアナログ化し、上記表示部２５と同じくデジタルカメラ１０の背面側に設けられるスピーカ部３４を駆動して、拡声放音させる。
【００３７】
フラッシュ駆動部３１は、静止画像撮影時に図示しないフラッシュ駆動用の大容量コンデンサを充電した上で、制御部２１からの制御に基づいてキセノン放電管等で構成されるフラッシュ発光部３５を撮影タイミングに同期して閃光駆動させる。
【００３８】
しかるに、撮影モード時に静止画像ではなく動画像の撮影が選択されている場合には、１回目のシャッタキーが操作された時点で、上述した静止画データを取得して画像処理部２７でデータ圧縮し、メモリカード２８へ記憶するという一連の動作を適宜フレームレート、例えば３０［フレーム／秒］で連続して実行するものとして開始し、該シャッタキーが２回目に操作されるか、またはメモリカード２８の残り空き容量が一定量以下となった時点でそれら一連の静止画データファイルを一括してモーションＪＰＥＧのデータファイル（ＡＶＩファイル）として設定し直す。
【００３９】
また、再生モード時には、制御部２１がメモリカード２８に記憶されている画像データを選択的に読出し、画像処理部２７で撮影モード時にデータ圧縮した手順と全く逆の手順で圧縮されている画像データを伸長し、伸長した画像データをバッファコントローラ１９を介しＤＲＡＭ２０に保持させた上で、このＤＲＡＭ２０の保持内容を表示コントローラ２３を介してＶＲＡＭ２４に記憶させ、このＶＲＡＭ２４より定期的に画像データを読出してビデオ信号を発生し、上記表示部２５で再生表示させる。
【００４０】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００４１】
ＵＳＢインタフェース３２は、ＵＳＢ（Ｕｎｉｖｅｒｓａｌ  Ｓｅｒｉａｌ  Ｂｕｓ）規格に準じてＵＳＢ端子３６に接続されるパーソナルコンピュータやプリンタ装置等、各種外部機器との送受信を行なう。
【００４２】
次に上記実施の形態の動作について説明する。  
なお、以下に示す動作はすべて制御部２１が予め不揮発性メモリ２２に記憶されている動作プログラムを読出し、制御部２１内の主記憶メモリに展開して実行するものである。
【００４３】
まず、本実施の形態に係る画像切替時の演出効果の概要について予め説明しておく。
【００４４】
図２は、加速度の向きに応じた演出効果の内容を例示するものである。  
図２（Ｉ）は、デジタルカメラ１０により被写体Ｓに近づいた直後に被写体Ｓを撮影した場合を示す。この場合、３軸加速度センサ２９により得られる情報としては、撮影レンズ光学系１２の光軸方向に沿って前方（被写体側）に移動する加速度の情報が得られることとなる。
【００４５】
したがって、このような加速度情報が付帯されている画像データをスライドショー機能時に再生する際には、その画像を所定時間表示するのに先立って、表示部２５上で画像を徐々に拡大するような演出効果を加えて表示するものとする。
【００４６】
また、図２（II）は、デジタルカメラ１０により被写体Ｓから遠ざかった直後に被写体Ｓを撮影した場合を示す。この場合、３軸加速度センサ２９により得られる情報としては、撮影レンズ光学系１２の光軸方向に沿って後方（被写体とは反対側）に移動する加速度の情報が得られることとなる。
【００４７】
したがって、このような加速度情報が付帯されている画像データをスライドショー機能時に再生する際には、その画像を所定時間表示するのに先立って、表示部２５上で画像を徐々に縮小するような演出効果を加えて表示するものとする。
【００４８】
なお、この図２（II）ではデジタルカメラ１０で縦長の画像を撮影した場合に、そのままの向きで画素を表示部２５にて表示する場合を示しているが、実際には上述した如く３軸加速度センサ２９により重力加速度の情報から、撮影時の画像の鉛直方向がどちらかを判断することが容易に可能であるため、横長のアスペクト比を有する表示部２５でその左右に余白を設け、縦長画像の高さに合わせ予め縮小した状態で画像を表示し、上述した演出効果としてのさらなる縮小表示を行なうようにしても良い。
【００４９】
さらに、図２（III）は、デジタルカメラ１０を被写体Ｓに対して方向に回動した直後に被写体Ｓを撮影した場合を示す。この場合、３軸加速度センサ２９により得られる情報としては、撮影レンズ光学系１２の光軸方向と直交する面に沿ってデジタルカメラ１０の右方向から左方向（または左方向から右方向）に移動する加速度の情報が得られることとなる。
【００５０】
したがって、このような加速度情報が付帯されている画像データをスライドショー機能時に再生する際には、その画像を所定時間表示するのに先立って、表示部２５上でその右端側（左端側）から画像が徐々に左側（右側）に移動して最終的に画像全体が表示部２５で表示されるような、いわゆるスライドインと称される演出効果を加えて表示するものとする。
【００５１】
なお、上記図２（III）ではデジタルカメラ１０を左右方向に移動した後に撮影した画像に関して述べたが、同様にデジタルカメラ１０を上下方向に移動した後に撮影した画像についても、その向きに応じた表示部２５の画面上から、あるいは画面下からスライドインさせるものとしてもよい。
【００５２】
さらには、上述した上下左右の４方向のみならず、斜めの方向の要素も加えて、例えば画面の右上端のコーナ部から左下方向に斜めに画像が徐々に移動するようなスライドイン表示を行なうものとしてもよい。
【００５３】
図３は、上記図２で説明した内容を含む、画像切替演出の要素とその効果の例を示すものである。  
ここでは、３軸加速度センサ２９で得られる加速度情報の大きさ（絶対値）、及び加速度の向きに基づいた演出効果の画像を表示するものとしている。  
具体的には、加速度の大きさ「ａx」が所定値「ａth1」以上であれば（ａx≦ａth1）、次に表示すべき画像が素早く切り替わっていくように時間設定を通常より短く変更する一方で、加速度の大きさ「ａx」が所定値「ａth2」以下であれば（ａx≧ａth2,且つａth1＞ａth2）、次に表示すべき画像がゆっくりと切り替わっていくように時間設定を通常より長く変更するものとする。
【００５４】
加えて、加速度の大きさ「ａx」が上記「ａth2」よりは大きいものの、上記「ａth1」よりは小さい場合（ａth2＜ａx＜ａth1）には、通常であるものとして、通常の時間設定通りとする。
【００５５】
また、加速度の向きについては、上記図２で説明した通りであり、撮影光軸に直交する面に沿った上下左右の各方向の動きであればその方向に対応したスライドインを行なう一方で、撮影光軸に沿って被写体との距離を変える前後方向の動きであれば、その方向に応じて撮影画像を拡大また縮小するものとする。
【００５６】
さらに、図４は、撮影画像が動画像である場合の、画像切替演出の要素とその効果の例を示すものである。  
ここでも、３軸加速度センサ２９で得られる加速度情報の大きさ（絶対値）、及び加速度の向きに基づいた演出効果の画像を表示するものとしている。
【００５７】
具体的には、加速度の大きさ「ａx」が所定値「ａth11」以上、且つ「ａth12」以下であれば（ａth11≦ａx≦ａth12）、動画像の表示途中のその加速度が得られたタイミング時に表示中の被写体に動きを示すような画像Ａを重畳する一方で、加速度の大きさ「ａx」が上記所定値「ａth12」以上であれば（ａx≧ａth12）、上記画像Ａよりもさらに大きく被写体の動きを示すような画像Ｂを表示中の被写体に重畳するものとする。  
その場合、上記重畳する画像ＡまたはＢの重畳位置としては、加速度の向きに対応するものとする。
【００５８】
上述した動作の具体的な制御について以下に説明する。  
まず、画像を撮影してその撮影画像のデータを３軸加速度センサ２９で得られる挙動情報としての加速度データと共に記録する場合の動作について説明する。
【００５９】
なお、本実施形態においては、キー入力部２６のシャッタキーが２段階の操作ストロークを有するものとし、静止画像の撮影時にはシャッタキーを第１段階の操作ストローク位置まで押圧操作する、いわゆる「半押し」の状態でこれを検出してＡＦ（Ａｕｔｏｍａｔｉｃ  Ｆｏｃｕｓ：自動合焦）処理及びＡＥ（Ａｕｔｏｍａｔｉｃ  Ｅｘｐｏｓｕｒｅ：自動露出）処理を実行して合焦位置及び露出値をロックし、その状態からさらにシャッタキーを第２段階のストローク位置まで押圧操作する、いわれる「全押し」の状態でこれを検出して上記合焦位置及び露出値に基づいた静止画像の撮影を実行するものとする。
【００６０】
但し、静止画像の撮影ではなく動画像の撮影時には、上記シャッタキーは単なるオン／オフスイッチとして機能し、半押しまたは全押しの操作により動画像の撮影の開始タイミングと終了タイミングとを指示するものとする。
【００６１】
図５は、撮影モード時に静止画像を撮影する場合の制御部２１の処理内容を示す。同図では、その処理当初に３軸加速度センサ２９で得られる加速度データを挙動情報として取得して蓄積する処理を開始した後に（ステップＡ０１）、キー入力部２６のシャッタキーが半押し操作されたか否かを繰返し判断する（ステップＡ０２）ことで、３軸加速度センサ２９で得られる加速度データを蓄積しながらシャッタキーが半押し操作されるのを待機する。
【００６２】
図６は、上記ステップＡ０１の加速度データの取得開始に伴って図５の処理と並行して実施される、加速度データの取得処理の詳細を示すものであり、その当初に３軸加速度センサ２９で得た３軸回りの各加速度データを取得する（ステップＢ０１）。
【００６３】
この取得した加速度データを基に、制御部２１内の主記憶メモリに構築した加速度テーブルの内容を更新設定する（ステップＢ０２）。この加速度テーブルには、所定時間分、例えば２０秒間分の加速度データを記憶するものとし、最新の加速度データを記憶することで、２０秒以上前の加速度データを自動的に消去することで、常に最新の２０秒間分の加速度データが挙動情報として更新されながら記憶されることとなる。
【００６４】
しかして、上記ステップＢ０２で加速度テーブルの更新設定を行なった後、上記加速度テーブルに記憶した時間的に連続した加速度データとは別に、詳細は後述するが、特に動画像データの撮影途中で追記すべきタイミングであるか否かを判断する（ステップＢ０３）。
【００６５】
ここで、追記すべきタイミングであると判断した場合にのみ、そのタイミングを示す時刻情報を、取得した加速度データと共に加速度データに追記設定する（ステップＢ０４）。
【００６６】
その後、制御部２１が挙動情報としての加速度データの取得の提示を指示したか否か、すなわち静止画像撮影時及び動画像撮影時に画像データの記録を終えたか否かを判断し（ステップＢ０５）、そうでないと判断すると再び上記ステップＢ０１からの処理に戻り、以後同様に加速度テーブルの内容を随時更新設定していく。
【００６７】
上記図５のステップＡ０２でキー入力部２６のシャッタキーが半押し操作されたと制御部２１が判断した場合、その時点で上述した如くＡＦ処理及びＡＥ処理を実行して合焦位置及び露出値をロックする（ステップＡ０３）。
【００６８】
この状態から、さらにシャッタキーが全押し操作されたか否か（ステップＡ０４）、まだ半押し操作されたままであるか否か（ステップＡ０５）を繰返し判断することで、半押し操作の状態が維持されていることを確認しつつ、全押し操作されるのを待機する。
【００６９】
ここで、シャッタキーの半押し操作状態が解除された場合には、ステップＡ０５でこれを判断し、合焦位置及び露出値のロックを解除した後に（ステップＡ０６）、再び上記ステップＡ０１からの処理に戻る。
【００７０】
しかして、ステップＡ０４でシャッタキーが全押し操作されたと判断すると、ロックしている合焦位置と露出値に基づいた撮影を実行し（ステップＡ０７）、得た静止画像の画像データを画像処理部２７で圧縮処理した後にメモリカード２８に記録させる（ステップＡ０８）。
【００７１】
併せて、上記図６で説明した加速度データの取得処理で加速度データの取得の停止を指示させることで（ステップＡ０９）、上記ステップＢ０５でこれを判断して当該図６の処理を一端終了させる。
【００７２】
次いで、その時点の加速度テーブルの内容を添付ファイルとして取り纏めた上で（ステップＡ１０）、当該静止画像のＪＰＥＧファイルのＥｘｉｆ（Ｅｘｃｈａｎｇｅａｂｌｅ  ｉｍａｇｅ  ｆｉｌｅ  ｆｏｒｍａｔ）規格に対応した添付部分に追記設定する（ステップＡ１１）。  
以上で、一連の静止画像データの撮影と記録に関する処理を一通り終了し、次の静止画像データの撮影に備えるべく上記ステップＡ０１からの処理に戻る。
【００７３】
図７は、上記静止画像の撮影と記録の過程で、３軸加速度センサ２９により取得され、メモリカード２８に画像データと共に記録される３次元空間中の３軸回りの加速度データの方向を、２次元平面上に展開した概念を示す図である。
【００７４】
同図では、タイミングｔ１１でデジタルカメラ１０を静止画像の撮影モードに設定した後、図示するように連続的に撮影レンズ光学系１２の対向方向が変化し、加速度タイミングｔ１３でキー入力部２６のシャッタキーを操作して静止画像の撮影を実行したものとする。
【００７５】
この場合、撮影のタイミングｔ１３から所定時間、例えば２０秒間分だけ遡ったタイミングｔ１２からの加速度データが加速度テーブルに記憶され、撮影時に取り纏められた上で画像データに追記設定される。したがって、タイミングｔ１２からタイミングｔ１３に至る加速度データの総和から図中に示す矢印Ａ１で示すようなベクトルを得ることで、ユーザが操作するデジタルカメラ１０の撮影時の総体的な挙動を得ることができる。
【００７６】
次に、図８により撮影モード時に動画像を撮影する場合の制御部２１の処理内容を示す。同図では、その処理当初に３軸加速度センサ２９で得られる加速度データを挙動情報として取得し、蓄積する処理の開始を指示した後に（ステップＣ０１）、キー入力部２６のシャッタキーが全押し操作されたか否かを繰返し判断することで（ステップＣ０２）、３軸加速度センサ２９で得られる加速度データを蓄積しながらシャッタキーが全押し操作され、動画像の撮影の開始が指示されるのを待機する。
【００７７】
なお、上記ステップＣ０１で開始が指示された加速度データの取得処理の詳細については、上記図６で説明した内容と同様であるので、ここではその説明を省略する。
【００７８】
しかして、上記ステップＣ０２でキー入力部２６のシャッタキーが全押し操作されたと制御部２１が判断した場合、その時点から動画像の撮影を開始するものとして、ＡＦ処理及びＡＥ処理を伴う所定画像サイズ、例えば縦４８０×横６４０画素のＶＧＡサイズ、且つ所定フレームレート、例えば３０フレーム／秒での動画像の撮影処理を実行し、得た画像データを随時モーションＪＰＥＧのデータファイルを構成する画像の一部として画像処理部２７でデータ圧縮した後にメモリカード２８に記録する（ステップＣ０３）。
【００７９】
このとき同時に、上記３軸加速度センサ２９で得られる加速度情報の大きさ（絶対値）が所定のしきい値「ａth21」以上であるか否かを判断する（ステップＣ０４）。  
ここで加速度情報の大きさが所定のしきい値以上であると判断した場合にのみ、タイミング情報の記録指示を行なって、上記図６のステップＢ０４でその時点のタイミングを示す時刻情報を、加速度データと共に加速度テーブルに追記設定させる（ステップＣ０５）。
【００８０】
その後、上記ステップＣ０５の実行の有無に拘わらず、再度シャッタキーが全押し操作されるか、あるいはメモリカード２８の残容量が一定値、例えば５ＭＢ（メガバイト）以下となったかを判断することで撮影終了を終了するか否かを判断し（ステップＣ０６）、まだ撮影終了ではないと判断すると再び上記ステップＣ０１からの処理に戻って、動画像の撮影動作を続行する。
【００８１】
こうしてステップＣ０３〜Ｃ０６の処理を繰返し実行することで、モーションＪＰＥＧのデータファイルとして動画像データが順次メモリカード２８に記録されていく。
【００８２】
しかして、上記ステップＣ０６で動画像の撮影を終了するものと判断すると、撮影を停止してそれまでにメモリカード２８に記録した一連のＪＰＥＧデータファイルを一括してモーションＪＰＥＧの動画像のデータファイルとする取り纏めの処理を実行する（ステップＣ０７）。
【００８３】
併せて、上記図６で説明した加速度データの取得処理に係るサブルーチンで加速度データの取得を一時停止させることで（ステップＣ０８）、上記ステップＢ０５でこれを判断して当該サブルーチンの処理を終了させる。
【００８４】
次いで、その時点の加速度テーブルの内容を添付ファイルとして取り纏めた上で（ステップＣ９）、当該動画のモーションＪＰＥＧのデータファイルのＥｘｉｆ規格に対応した添付部分に追記設定する（ステップＣ１０）。  
以上で、一連の動画像データの撮影と記録に関する処理を一通り終了し、次の動画像データの撮影に備えるべく上記ステップＣ０１からの処理に戻る。
【００８５】
図９は、上記動画像の撮影と記録の過程で、３軸加速度センサ２９により取得され、メモリカード２８に画像データと共に記録される３次元空間中の３軸回りの加速度データの方向を、２次元平面上に展開した概念を示す図である。
【００８６】
同図では、タイミングｔ２１でデジタルカメラ１０を動画像の撮影モードに設定した後、図示するように連続的に撮影レンズ光学系１２の対向方向が変化し、タイミングｔ２３でキー入力部２６のシャッタキーを全押し操作して動画像の撮影を開始し、以後タイミングｔ２６で再度シャッタキーを全押し操作して（またはメモリカード２８の空き容量がなくなって）動画像の撮影を停止したものとする。
【００８７】
この場合、撮影のタイミングｔ２３から所定時間、例えば２０秒間分だけ遡ったタイミングｔ２２からの加速度データが加速度テーブルに記憶され、撮影時に取り纏められた上で画像データに追記設定される。したがって、タイミングｔ２２からタイミングｔ２３に至る加速度データの総和から図中に示す矢印Ａ２で示すようなベクトルを得ることで、ユーザが操作するデジタルカメラ１０の撮影時の総体的な挙動を得ることができる。
【００８８】
併せて、動画像の撮影途中においても、タイミングｔ２４とタイミングｔ２５とで３軸加速度センサ２９で得られる加速度情報の大きさ（絶対値）が所定のしきい値「ａth21」以上であったものとして、上記ステップＣ０５でそれぞれその時点のタイミングを示す時刻情報が各加速度データと共に加速度テーブルに追記設定される。
【００８９】
次に、再生モード時にメモリカード２８に記録された画像データを用いてスライドショー表示を行なう場合の動作について説明する。  
図１０は、スライドショー表示を行なう場合の制御部２１の処理内容を示す。同図では、その処理当初にメモリカード２８に記録されている各種画像データファイルから１つを選択する（ステップＤ０１）。その選択した画像データに加速度テーブルが付加設定されているか否かをＥｘｉｆ規格の対応部分を検索して判断する（ステップＤ０２）。
【００９０】
ここで、選択した画像データに加速度テーブルが付加設定されていると判断すると、次いでその画像データが動画像であるか否かを、例えばデータファイルの拡張子が「．ａｖｉ」であるか否かにより判断する（ステップＤ０３）。
【００９１】
画像データが動画像ではないと判断した場合、画像データは静止画データ（拡張子「．ｊｐｇ」）であるものとして、当該加速度データを用いた画像切替演出（図では「画像切替演出１」と称する）をその加速度データの内容に基づいて決定する（ステップＤ０４）。
【００９２】
図１１は、このステップＤ０９の画像切替演出を決定するためのサブルーチンの内容を示すものである。その当初に、挙動情報としての加速度データを読出す一方で（ステップＥ０１）、Ｅｘｉｆ規格に基づく他の撮影条件のデータも併せて読出すものとする（ステップＥ０２）。
【００９３】
次いで、これら読出した挙動情報としての加速度データと他の撮影条件とに応じて画像切替の演出効果を決定し（ステップＥ０３）、以上でこのサブルーチンを終了して、メインルーチンである上記図１０の処理に戻る。
【００９４】
この場合、上記図２及び図３で説明した如く、加速度の大きさと向きとにより画像の切り替わりの速度と切替り時の画像の方向（または拡大／縮小）を決定すると共に、例えば他の撮影条件中からホワイトバランス値やシーンプログラムの設定情報等を読出すことで、切替中の画像自体に適宜カラーフィルタリング処理などの色変換処理を施すものとしてもよい。
【００９５】
こうして加速度データを用いた画像切替演出効果を決定すると、決定した内容に基づいて上記図２でも説明したような当該静止画像の切替に伴う演出表示を表示部２５で所定時間、例えば５秒間かけて実行する（ステップＤ０５）。
【００９６】
その後、あらためてその静止画像を表示部２５で再生表示しながら（ステップＤ０６）、スライドショー表示で予め設定されている時間、例えば３０秒間が経過したか否かを判断する（ステップＤ０７）、という処理を繰返し実行することで、当該静止画像の表示部２５での表示を続行する。
【００９７】
そして、予め設定されている時間が経過した時点でステップＤ０７によりこれを判断し、さらにスライドショー機能の停止が指示されていないことを確認した上で（ステップＤ０８）、再び次の画像データを選択してスライドショー表示を続行するべく上記ステップＤ０１からの処理に戻る。
【００９８】
また、上記ステップＤ０３で動画像のデータファイルであると判断した場合には、その動画像の先頭に位置している静止画像に対して加速度データを用いた画像切替演出（画像切替演出１）を行なうべく、切替演出の内容を決定する（ステップＤ０９）。
【００９９】
この場合も、上記図１１のサブルーチンにより挙動情報としての加速度データと、Ｅｘｉｆ規格に基づく他の撮影条件のデータとに応じて画像切替の演出効果を決定する。
【０１００】
加速度データを用いた画像切替演出効果を決定すると、決定した内容に基づいて上記図２でも説明したように動画像の先頭に位置する静止画像の演出表示を表示部２５で所定時間、例えば５秒間かけて実行する（ステップＤ１０）。
【０１０１】
その後、動画像の再生途中で動画中に重畳すべき演出表示の内容を決定する（ステップＤ１１）。
【０１０２】
図１２は、このステップＤ１１の動画重畳演出を決定するためのサブルーチンの内容を示すものである。その当初には、加速度テーブルに追記設定されている、加速度の大きさが所定のしきい値以上となっている画像タイミングの加速データの１つを挙動情報として読出す一方で（ステップＦ０１）、そのタイミングに対応する画像データからＥｘｉｆ規格に基づく他の撮影条件のデータも併せて読出すものとする（ステップＦ０２）。
【０１０３】
次いで、これら読出した挙動情報としての加速度データと他の撮影条件とに応じて動画中に重畳表示する演出効果を決定する（ステップＦ０３）。
【０１０４】
その後、さらに加速度テーブルに追記設定された他の画像タイミングの情報があるか否かにより、動画重畳演出を行なう画像タイミングのポイントがあるか否かを判断し（ステップＦ０４）、あると判断した場合には再び上記ステップＦ０１からの処理に戻る。
【０１０５】
こうして加速度テーブルに追記設定されている画像タイミングの情報分だけ動画重畳演出を決定し、すべての処理を終えた時点で上記このサブルーチンを終了して、メインルーチンである上記図１０の処理に戻る。
【０１０６】
その後、動画像データを構成する静止画像データの１つを読出し、その静止画像が上記加速度テーブルで追記設定したタイミングに対応するものであるか否かを判断する（ステップＤ１２）。
【０１０７】
ここで、加速度テーブルに追記設定した、加速度の大きさが所定のしきい値以上となっているタイミングの静止画像ではないと判断した場合には、そのまま当該静止画像を記録時のフレームレートに従って再生表示し（上記ステップＤ１３）、その後にその静止画像が度加須を構成する最後の１枚ではないことを確認した上で（ステップＤ１５）、動画の再生を続行するべく上記ステップＤ１２からの処理に戻る。
【０１０８】
また、上記ステップＤ１２で動画像データを構成する静止画像データの１つが上記加速度テーブルで追記設定したタイミングに対応するものであると判断した場合には、上記ステップＤ１１で決定した動画重畳演出を用いた画像の再生表示を行なう（ステップＤ１４）。
【０１０９】
図１３は、このとき実行される動画重畳演出の一例を示すものである。図１３（Ａ）に示すような元の画像があり、その画像に対応する所定の大きさ以上の加速度の方向が例えば図の右から左に至るものであった場合、図１３（Ｂ）に示すように同画像の右半分に水平方向の細線を鉛直方向に並列配置した、漫画やアニメーション等でいわゆる「陰」と呼称される画像を重畳して再生表示することにより、擬似的に当該画像の動きを表現できる。
【０１１０】
なお、この動画重畳演出の表示に関しては、加速度テーブルで追記設定したタイミングから一定時間、例えば０．５秒間（フレームレートが３０フレーム／秒であれば１５フレーム分）に渡って継続して実施するものとする。
【０１１１】
しかして、一連の静止画像データからなる動画像データの最後の１枚の再生表示を終えると、ステップＤ１５で動画再生終了であるものと判断し、次いで上記ステップＤ０８でスライドショー機能の停止が指示されていないことを確認した上で、再び次の画像データを選択してスライドショー表示を続行するべく上記ステップＤ０１からの処理に戻る。
【０１１２】
また、上記ステップＤ０２で、選択した画像データファイルに加速度テーブルが付加設定されていないと判断した場合には、その画像データファイルが静止画像と動画のいずれであるにしろ、挙動情報としての加速度データを用いず、予め一律に設定された画像切替演出（図では「画像切替演出２」と称する）を決定する（ステップＤ１６）。
【０１１３】
これは、例えば静止画像あるいは動画像の先頭に位置する静止画像に対し、全画面の輝度情報を「０（ゼロ）」レベルから順次画像自体の値に引き上げることで、あたかも画面上で当該画像が徐々に浮かび上がってくるような、表示位置に関して一切動きを伴わない画像切替演出とする。
【０１１４】
しかるに、決定した画像切替演出に基づいて当該画像の切替に伴う演出表示を表示部２５で所定時間、例えば５秒間かけて実行する（ステップＤ１７）。
【０１１５】
その後、あらためてその画像が静止画像であれば、当該画像を表示部２５で再生表示しながら（ステップＤ１８）、スライドショー表示で予め設定されている時間、例えば３０秒間が経過したか否かを判断する（ステップＤ１９）、という処理を繰返し実行することで、当該静止画像の表示部２５での表示を続行する。
【０１１６】
そして、予め設定されている時間が経過した時点でステップＤ１９によりこれを判断し、上記ステップＤ０８に至る。
【０１１７】
なお、上記ステップＤ１６で画像切替演出を決定した画像が動画像である場合には、上記ステップＤ１８，Ｄ１９での予め設定された時間分だけの表示に代えて、当該動画像を記録時と同じフレームレートで最初から最後まで再生表示した後、上記ステップＤ０８に至る。
【０１１８】
このように、加速度データが付加設定されている画像データに関しては、記録した個々の画像データ単体でもその画像データが撮影された状況に対応した演出効果を用い、スライドショー機能による多彩な再生表示を行なうことが可能となる。
【０１１９】
加えて、近時は手振れ補正処理を行なうためにデジタルカメラの多くの機種で装置の挙動を検出する機構を有しているため、その挙動検出機構を手振れ補正処理以外にも流用するものとして、検出した挙動情報を撮影画像と関連付けて記録するものとすれば、装置の構成を有効に活用して、スライドショー表示の際に多彩な再生表示を実現できる。
【０１２０】
なお、上記実施の形態では、このデジタルカメラ１０の挙動を検出する機構として３軸加速度センサ２９を用いるものとした。  
これにより、撮影画像の平面に沿った２次元での挙動のみならず、画像平面と直交する軸方向に沿った３次元空間中でのデジタルカメラ１０の挙動を検出することができるため、検出した挙動情報に応じてよりダイナミックな演出効果を施した画像再生を行なうことができる。
【０１２１】
この場合、特に、被写体との距離が変わるような挙動情報が撮影画像に関連付けて記録されていた場合に、その挙動の方向に合わせて、表示する撮影画像の大きさを連続的に可変するような演出効果の表示を行なうことで、簡易な画像処理ながら撮影時の挙動を効果的に再現することができる。
【０１２２】
また、特に撮影画像の平面に沿って装置の被写体に対する方向を移動するような挙動情報が撮影画像に関連付けて記録されていた場合には、その挙動の方向に合わせて、表示画面外部から画像が徐々に画面内部に挿入されるように連続的に可変する演出効果の表示を行なうことで、簡易な画像処理ながら撮影時の挙動を効果的に再現することができる。
【０１２３】
なお、上記実施の形態では示さなかったが、特に撮影画像の平面に沿って装置の被写体に対する方向を移動するような挙動情報が撮影画像に関連付けて記録されていた場合に、その挙動の方向に合わせて、表示する撮影画像を連続的に解像度を可変するような演出効果の表示を行なうものとしてもよい。
【０１２４】
これにより、例えば移動している被写体の後側に行くほど解像度が低下するような表示を行なうことで、簡易な画像処理ながら、所謂「流し撮り（ｐａｎｎｉｎｇ）」に近いスピード感あふれる表示を実現できる。
【０１２５】
また、これも上記実施の形態では示さなかったが、特に撮影画像の平面に沿って装置の被写体に対する方向を移動するような挙動情報が撮影画像に関連付けて記録されていた場合に、その挙動の方向に合わせて、撮影画像の表示倍率を連続的に可変するような演出効果の表示を行なうものとしてもよい。
【０１２６】
これにより、例えば下から上へ見上げるような被写体を撮影した場合に画像の上方ほど拡大して、あたかものし掛かってくるような表示を行ない、あるいは高所から下方向を見下ろすような被写体を撮影した場合にその上方ほど縮小して、高所であることを強調するなど、簡易な画像処理ながら、所謂「あおり（ｓｗｉｎｇ  ＆  ｔｉｌｔ）」と呼称される、距離感を強調する表示を実現できる。
【０１２７】
さらに、上記実施の形態では、撮影した画像が動画像であった場合に、その動画像の先頭に位置する画像のみならず、動画像途中でも特に大きな挙動が検出された時点ではそのタイミングに基づいて挙動情報に基づく大きさ及び方向で演出効果を施した表示を行なうものとしたので、スライドショー表示による画像の切替時だけではなく、動画像の再生途中でもより多彩でリアルな表示を実現できる。
【０１２８】
また、上記実施の形態では、画像撮影直接の所定時間分だけ加速度データを検出することで、その画像を用いたスライドショー表示の切替前に加速度データを活かした演出効果の表示を行なうものとして説明したが、本発明はこれに限るものではなく、例えば当該画像の撮影前後の各加速度データを検出して、再生時に活用するものとしてもよい。
【０１２９】
図１４は、動画像データを構成する時間的に連続した各静止画データＦＲ．１〜ＦＲ．７から加速度データの内容に応じた演出効果の方向を判定する場合の一例を示すものである。
【０１３０】
同図で、各静止画データＦＲ．１〜ＦＲ．７に付加された２つの矢印は、左側が撮影直前に検出された加速度の向き、右方が撮影直後に検出された加速度の向きを示している。
【０１３１】
なお、各加速度の向きに関しては、図中では説明を容易にするために２次元平面における向きとして示しているが、本来は３軸加速度センサ２９により取得される、３次元空間中の３軸回りの方向を示すものである。
【０１３２】
ここでは、静止画データＦＲ．ｎの撮影直後に検出された加速度の向きと、その次に撮影する静止がデータＦＲ．ｎ＋１の撮影直前に検出する加速度の向きとを合成することで、デジタルカメラ１０のカメラワークを検出するものとしており、上記合成においては時間的に後に位置する側の加速度の向きをより重要視して重み付けを行なうものとしている。図中、丸数字の「１」〜「６」が各フレーム間に渡る合成後の加速度の向きを示している。
【０１３３】
例えば、静止画データＦＲ．５の撮影直後の加速度の向きは下向きであり、その後の静止画データＦＲ．６の撮影直前の加速度の向きは上向きであるので、２つの加速度の向きをそのまま合成すると、相殺されて向きを判断することができなくなってしまう。
【０１３４】
しかしながら、ここでは上述した如く時間的に後に位置する側の加速度の向きをより重要視しているため、丸数字で「５」で示すように、僅かに上向きの加速度として判断するものとしている。
【０１３５】
こうして合成した加速度の向きを２次元（ＸＹ座標）空間ＳＰで一筆書き状に展開した様子が、図示するようになるもので、こうした加速度の向きから、デジタルカメラ１０で動画像の撮影を行なった際のカメラワークを知ることができる。
【０１３６】
したがって、そのカメラワークを反映した演出効果の表示を行なうことで、撮影時の雰囲気や気分を再現することができる。  
その場合、加速度の向きだけでなく、大きさも考慮し、加速度が大きいときはより演出効果の幅を高めるようにすることで、より忠実に撮影時を再現で決めものとなる。
【０１３７】
なお、上記実施の形態はデジタルカメラに適用した場合の実施の形態について説明したものであるが、本発明はデジタルカメラに限らず、パーソナルコンピュータのスクリーンセーバー機能時、充電台にセットした携帯電話機、電子フォトスタンド、画像ストレージ兼ビューワなどの各種装置やそれらの装置でソフトウェア的に実現される一機能であっても良い。
【０１３８】
また、デジタルカメラ１０の挙動を検出するセンサとして、上記実施の形態では３軸加速度センサを用いるものとして説明したが、本願発明ではこれに限ることなく、他にも例えばジャイロセンサを速度センサや傾斜センサ、振動センサ、地磁気センサ、圧力センサなどと組み合わせることによって、同様に実現できる。
【０１３９】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【０１４０】
【図１】本発明の実施の一形態に係るデジタルカメラの電子回路の概略機能構成を示すブロック図。
【図２】同実施の形態に係る演出効果表示の概念を示す図。
【図３】同実施の形態に係る画像切替演出の要素とその効果を示す図。
【図４】同実施の形態に係る動画重畳演出の要素とその効果を示す図。
【図５】同実施の形態に係る静止画像撮影時の処理内容を示すフローチャート。
【図６】同実施の形態に係る加速度データの取得に関する処理内容を示すフローチャート。
【図７】同実施の形態に係る静止画撮影時のデジタルカメラの挙動を２次元平面に展開した概念図。
【図８】同実施の形態に係る動画像撮影時の処理内容を示すフローチャート。
【図９】同実施の形態に係る動画撮影時のデジタルカメラの挙動を２次元平面に展開した概念図。
【図１０】同実施の形態に係るスライドショー表示時の処理内容を示すフローチャート。
【図１１】同実施の形態に係る図１０の加速度データを用いた画像切替演出の内容を決定するサブルーチンの処理内容を示すフローチャート。
【図１２】同実施の形態に係る図１０の加速度データを用いた動画重畳演出の内容を決定するサブルーチンの処理内容を示すフローチャート。
【図１３】同実施の形態に係る動画重畳演出の再生表示例を説明する図。
【図１４】同実施の形態に係る動画像の他の加速度データの取扱い例を示す図。
【符号の説明】
【０１４１】
１０…デジタルカメラ、１１…モータ（Ｍ）、１２…撮影レンズ光学系、１３…ＣＣＤ、１４…タイミング発生器（ＴＧ）、１５…ＣＣＤドライバ、１６…ＡＧＣ／ＳＨ回路、１７…Ａ／Ｄ変換器、１８…カラープロセス回路、１９…バッファコントローラ、２０…ＤＲＡＭ、２１…制御部、２２…不揮発性メモリ、２３…表示コントローラ、２４…ＶＲＡＭ、２５…表示部、２６…キー入力部、２７…画像処理部、２８…メモリカード、２９…３軸加速度センサ、３０…音声処理部、３１…フラッシュ駆動部、３２…ＵＳＢインタフェース（Ｉ／Ｆ）、３３…マイクロホン部、３４…マイクロホン部、３５…フラッシュ発光部、３６…ＵＳＢ端子。
【図１】
2008193333.tif 000003
【図２】
2008193333.tif 000004
【図３】
2008193333.tif 000005
【図４】
2008193333.tif 000006
【図５】
2008193333.tif 000007
【図６】
2008193333.tif 000008
【図７】
2008193333.tif 000009
【図８】
2008193333.tif 000010
【図９】
2008193333.tif 000011
【図１０】
2008193333.tif 000012
【図１１】
2008193333.tif 000013
【図１２】
2008193333.tif 000014
【図１３】
2008193333.tif 000015
【図１４】
2008193333.tif 000016